(57)【要約】【課題】従来、ヒンジ式の開閉蓋部を内側に嵌着した開閉口枠部を、容器開口部の上面外周に加熱溶着した場合、開閉蓋部が冷却によって収縮するとき、開閉口枠部は殆ど収縮しないから、開閉口枠部と開閉蓋部との間に隙間が出来て、使用時に内容液が漏れることがあった。【解決手段】開閉蓋部１０を嵌着した開閉口枠部１１を容器開口部２の上面外周３に加熱溶着してなる紙容器注出口装置において、開閉口枠部１１に密着外周縁部１３を全周に渡って設ける一方、開閉蓋部１０に密着外周縁部に外側から嵌合する密着内周縁部１４を全周に渡って設けてなる紙容器注出口装置。【選択図】　　　　　　　　図１
2004083024.tif 000002
【特許請求の範囲】
【請求項１】
開閉蓋部を嵌着した開閉口枠部を容器開口部の上面外周に加熱して接着又は溶着してなる紙容器注出口装置において、開閉口枠部に密着外周縁部を全周に渡って設ける一方、開閉蓋部に開閉口枠部の密着外周縁部に外側から密着して嵌合する密着内周縁部を全周に渡って設けてなる紙容器注出口装置。
【請求項２】
請求項１に記載の紙容器注出口装置において、密着外周縁部に外方に向かって張出する部分を設けてなる紙容器注出装置。
【請求項３】
請求項１又は２に記載の紙容器注出口装置において、密着内周縁部に内方に向かって張出する部分を設けてなる紙容器注出装置。
【請求項４】
請求項１、２又は３に記載の紙容器注出口装置において、開閉口枠部と開閉蓋部とをヒンジ式に連結してなる紙容器注出口装置。
【請求項５】
請求項１乃至４のいずれかに記載の紙容器注出口装置において、容器開口部の紙断面内周部を容器口枠部の内周縁部で覆ってなる紙容器注出口装置。
【請求項６】
請求項１乃至５のいずれかに記載の紙容器注出口装置において、容器開口部に容器蓋部の開放に伴って剥離する開封栓を容器蓋部に連結して設けてなる紙容器注出口装置。
【請求項７】
請求項６に記載の紙容器注出口装置において、容器蓋部に容器開口部に嵌合する開封栓を一体に設けてなる紙容器注出口装置。
【発明の詳細な説明】
【０００１】
【発明の属する技術分野】
本発明は、飲料等の紙容器の注出口装置に関する。
【０００２】
【従来の技術】
従来、図５に記載のように、ヒンジ式の開閉蓋部２０を内側に嵌着した開閉口枠部２１を、容器開口部２２の上面外周２３に加熱して接着又は溶着してなるプラスチック製の飲料等の紙容器注出口装置は知られている。２７がヒンジ連結部で、２８が開閉取っ手部である。開閉蓋部２０の上面は紙容器上面に渡って改ざん防止用の紙帯が貼り付けてある。
【０００３】
紙容器開口部２２の上面外周と紙容器の内側はポリエチレンフィルム２４により覆われると共に、外側はアルミニウムフィルム２５に覆われて密封されており、開口部２２部分は前記ポリエチレンフィルム２４とアルミニウムフィルム２５が密着して、紙端部が露出している容器開口部断面２６はポリエチレンフィルム２４とアルミニウムフィルム２５により覆われている。
【０００４】
従来品は上記のような構造で、これを使用するときは、まず、プラスチック製の注出口装置に設けられたヒンジ式の開閉蓋部２０を押し上げ開栓する。この時、同時に改ざん防止用紙帯も破断される。次に、紙容器開口部２２に設けられたアルミニウムフィルム２５を紙容器開口部２２の外周から引き剥がす。この時、アルミニウムフィルム２５に溶着された紙容器内側のポリエチレンフィルム２４が同時に破断され開口部２２が開口される。内容液を注出した後、ヒンジ式の開閉蓋部２０で閉栓し保存する。
【０００５】
【発明が解決しようとする課題】
従来、ヒンジ式の開閉蓋部２０を内側に嵌着した開閉口枠部２１を、容器開口部２２の上面外周２３に加熱して接着又は溶着した場合、その後の時間の経過と共にヒンジ式の開閉蓋部２０が冷却によって収縮するのに対して、開閉口枠部２１は容器開口部の周囲の紙容器の上面に溶着されて殆ど収縮しないから、図６に記載のように、開閉口枠部２２と開閉蓋部２０との間に隙間３０が出来て、使用時に内容液が漏れることがあった。
【０００６】
また、アルミニウムフィルム２５を引き剥がし内側のポリエチレンフィルム２４を破断させた際、アルミニウムフィルム２５とポリエチレンフィルム２４の間ある紙容器の開口部断面２６が露出し、紙部に内容液が染み込んで開口部がふやけてしまう課題があった。
また、ポリエチレンフィルム２４を設ける工程が容器製作のコストアップ要因になっていた。
【０００７】
また、ヒンジ蓋付のプラスチック製注出口上部に紙帯を設ける工程が容器製作のコストアップ要因になっていた。また、開栓時に紙帯を破断することは使用者にわずらわしさを与えていた。
また、使用者はヒンジ開閉蓋部２０を開栓し、さらに注出口に設けてあるアルミニウムフィルム２５を引き剥がさなければならない煩わしさがあった。
【０００８】
【課題を解決するための手段】
そこで本発明は、請求項１に記載のように、開閉蓋部を嵌着した開閉口枠部を容器開口部の上面外周に加熱して接着又は溶着してなる紙容器注出口装置において、開閉口枠部に密着外周縁部を全周に渡って設ける一方、開閉蓋部に開閉口枠部の密着外周縁部に外側から密着して嵌合する密着内周縁部を全周に渡って設けてなる紙容器注出口装置を提供するものである。
【０００９】
本発明によれば、開閉口枠部の密着外周縁部に、全周に渡って、開閉蓋部の密着内周縁部が外側から密着して嵌合するから、熱溶着後に開閉蓋部が冷却によって収縮すると、開閉蓋部の密着内周縁部がそれだけ強固に開閉口枠部の密着外周縁部に密着し、開閉口枠部と開閉蓋部との間に隙間が生じるようなことはなく、使用時に内容液が漏れる恐れはなくなる。
【００１０】
また、本発明は、請求項２に記載のように、請求項１に記載の紙容器注出口装置において、密着外周縁部に外方に向かって張出する部分を設けてなる紙容器注出装置を提供するものである。
本発明によれば、密着外周縁部に外方に向かって張出する部分により注出口を形成することができると共に、密着内周縁部と弾性的により強固に密着させることができる。
【００１１】
本発明は、請求項３に記載のように、請求項１又は２に記載の紙容器注出口装置において、密着内周縁部に内方に向かって張出する部分を設けてなる紙容器注出装置を提供するものである。
本発明によれば、密着内周縁部に内方に向かって張出する部分により、密着外周縁部と弾性的により強固に密着させることができる。
【００１２】
また、本発明は、請求項４に記載のように、請求項１、２又は３に記載の紙容器注出口装置において、開閉口枠部と開閉蓋部とをヒンジ式に連結してなる紙容器注出口装置を提供するものである。
本発明によれば、開閉蓋部を開閉口枠部に対してヒンジ式に分離することなく容易且つ迅速に開閉することができる。
【００１３】
また、本発明は、請求項５に記載のように、請求項１乃至４のいずれかに記載の紙容器注出口装置において、容器開口部の紙断面内周部を容器口枠部の内周縁部で覆ってなる紙容器注出口装置を提供するものである。
【００１４】
本発明によれば、容器開口部のアルミニウムフィルムやポリエチレンフィルムを引き剥がし破断させた際に、容器開口部の紙断面内周部を、容器開口部の周囲に一体に溶着されている容器口枠部の内周縁部で覆ってあるから、容器開口部の開封後に容器蓋部を閉じて容器を横たえたとしても、紙容器の開口部断面から紙部に内容液が染み込むようなことは生じない。
【００１５】
また、本発明は、請求項６に記載のように、請求項１乃至５のいずれかに記載の紙容器注出口装置において、容器開口部に容器蓋部の開放に伴って剥離する開封栓を容器蓋部に連結して設けてなる紙容器注出口装置を提供するものである。本発明によれば、容器蓋部を開放すると同時に自動的に容器開口部の開封栓を剥離して開口することができる。
【００１６】
また、本発明は、請求項７に記載のように、請求項６に記載の紙容器注出口装置において、容器蓋部に容器開口部に嵌合する開封栓を一体に設けてなる紙容器注出口装置を提供するものである。
本発明によれば、容器蓋部を開放すると、容器開口部に嵌合して該容器蓋部に一体に設けてある開封栓が確実に剥離し、また、容器蓋部を閉じるときには、再度、開封栓が容器開口部に嵌合することとなるから、開封栓を容器蓋部から分離することなく継続的に使用することができる。
【００１７】
【発明の実施の形態】
以下図示する実施例により、本発明の実施の形態を詳細に説明する。
図１の本発明キャップ装置の原理図において、本発明に係るプラスチック製の開閉蓋部１０は、一体成形加工により、ヒンジ連結部１２を介してプラスチック製の開閉口枠部１１に開閉自在に一体に連結して設けてある。開閉口枠部１１は、開閉蓋体１０を装着した状態で、紙容器１の容器開口部２の上面外周３に加熱して接着又は溶着して、プラスチック製の飲料等の紙容器注出口装置を構成している。
なお、紙容器１の表裏面はポリエチレンフィルム等によりコーティングしてあり、容器開口部２はカッティングにより形成されている。従って、容器開口部断面４は露出している。また、ヒンジ連結部１２の反対側の開閉蓋体１０には、開蓋取っ手１５が一体に形成してある。
【００１８】
開閉口枠部１１には、密着外周縁部１３が全周に渡って設けてある一方、開閉蓋部１０には、開閉口枠部１１の密着外周縁部１３に密着して嵌合する密着内周縁部１４を全周に渡って設けてあり、熱溶着後に時間の経過に伴って冷却によって開閉蓋部１０は収縮するのに対して、開閉口枠部１１は容器開口部２の周囲の紙容器１の上面外周３に固着されて殆ど収縮しないから、開閉口枠部１１の密着外周縁部１３に、開閉蓋部１０の密着内周縁部１４が全周に渡って外側から強固に密着して嵌合することとなり、開閉口枠部１１と開閉蓋部１０との間に隙間が生じるようなことはなく、閉蓋後に容器を横にしても内容液が漏れる恐れはなくなる。
【００１９】
また、図示の如く、密着外周縁部１３に外方に向かって張出する部分を設けてなる構成にすれば、密着外周縁部１３に外方に向かって張出する部分により注出口を形成することができると共に、密着内周縁部１４と弾性的により強固に密着させることができる。
また、密着内周縁部に内方に向かって張出する部分を設けて、密着外周縁部１３と弾性的により強固に密着させることができることは勿論である。
【００２０】
なお、図示の実施例の場合、開閉口枠部１１の密着外周縁部１３は注出口枠として開閉口枠部１１がそのまま構成しており、開閉蓋部１０の密着内周縁部１４は蓋体として開閉蓋部１０がそのまま構成している。他の実施例としては、密着外周縁部１３及び密着内周縁部１４を二重に設けて、二重に密着するように構成することも可能であり、その場合、二重のうちの一方を機械的な係合を主とし、他方を液密性を主とするように構成することもまた可能である。
【００２１】
次に、図２乃至図４に記載の実施例において、紙容器１の表裏面はポリエチレンフィルム等によりコーティングしてあり、容器開口部２はカッティングにより形成されている点は同じである。図３に記載のように、容器開口部２は開口部下面外周５を含んで破砕容易なアルミニウムフィルム６で閉鎖されており、容器開口部断面４は容器開口枠部１１の内周縁部１６が覆ってアルミニウムフィルム６にその先端縁部が密着している。
また、容器蓋部１０の中央には、容器開口部２に緩く一致するように凹陥して形成した開封栓１７が一体に設けてあり、図３に記載のように、閉蓋状態で、容器開口部２を覆うアルミニウムフィルム６に一体に接着して設けてある。
【００２２】
従って、容器蓋部１０を開放すると、図４に記載のように、容器開口部２に密着している開封栓１７がアルミニウムフィルム６を確実に剥離して開蓋し、また、容器蓋部１０を閉じるときには、図３に記載のように、再度、開封栓１７が容器開口部２に嵌合することとなるから、開封栓１７を容器蓋部１０から分離することなく継続的に使用することができる。なお、容器開口枠部１１の内周縁部１６と開封栓１７とを密着して嵌合するように構成することによって、開封栓１７に中蓋としての機能を付与することも可能である。
【００２３】
また、図３又は図４に記載のように、開閉蓋部１０の開閉状態において、容器開口部断面４は容器開口枠部１１の内周縁部１６が覆ってアルミニウムフィルム６にその先端縁部が密着しているから、容器開口部２の開封後に容器蓋部１０を閉じて紙容器を横たえたとしても、紙容器の開口部断面４から紙部内に内容液が染み込むようなことは生じないこととなる。
【００２４】
【発明の効果】
以上の通り、本発明に係る紙容器抽出装置によれば、請求項１に記載のように、開閉蓋部を嵌着した開閉口枠部を容器開口部の上面外周に加熱して接着又は溶着してなる紙容器注出口装置において、開閉口枠部に密着外周縁部を全周に渡って設ける一方、開閉蓋部に開閉口枠部の密着外周縁部に外側から密着して嵌合する密着内周縁部を全周に渡って設けてなる構成を有するから、開閉口枠部の密着外周縁部に、全周に渡って、開閉蓋部の密着内周縁部が外側から密着して嵌合するから、熱溶着後に開閉蓋部が冷却によって収縮すると、開閉蓋部の密着内周縁部がそれだけ強固に開閉口枠部の密着外周縁部に密着し、開閉口枠部と開閉蓋部との間に隙間が生じるようなことはなく、使用時に内容液が漏れる恐れはなくなる効果がある。
【００２５】
また、本発明は、請求項２に記載のように、請求項１に記載の紙容器注出口装置において、密着外周縁部に外方に向かって張出する部分を設けてなる構成を有することにより、密着外周縁部に外方に向かって張出する部分により注出口を形成することができると共に、密着内周縁部と弾性的により強固に密着させることができる効果がある。
【００２６】
また、本発明は、請求項３に記載のように、請求項１又は２に記載の紙容器注出口装置において、密着内周縁部に内方に向かって張出する部分を設けてなる構成を有するから、密着内周縁部に内方に向かって張出する部分により、密着外周縁部と弾性的により強固に密着させることができる効果がある。
【００２７】
また、本発明は、請求項４に記載のように、請求項１、２又は３に記載の紙容器注出口装置において、開閉口枠部と開閉蓋部とをヒンジ式に連結してなる構成を有することにより、開閉蓋部を開閉口枠部に対して分離することなくヒンジ式に容易且つ迅速に開閉して紙容器を使用することができる効果がある。
【００２８】
また、本発明は、請求項５に記載のように、請求項１乃至４のいずれかに記載の紙容器注出口装置において、容器開口部の紙断面内周部を容器口枠部の内周縁部で覆ってなる構成を有することにより、容器開口部のアルミニウムフィルムやポリエチレンフィルムを引き剥がし破断させた際に、容器開口部の紙断面内周部を、容器開口部の周囲に一体に溶着されている容器口枠部の内周縁部で覆ってあるから、容器開口部の開封後に容器蓋部を閉じて容器を横たえたとしても、紙容器の開口部断面から紙部に内容液が染み込むようなことは生じない効果がある。
【００２９】
また、本発明は、請求項６に記載のように、請求項１乃至５のいずれかに記載の紙容器注出口装置において、容器開口部に容器蓋部の開放に伴って剥離する開封栓を容器蓋部に連結して設けてなる構成を有することにより、容器蓋部を開放すると同時に自動的に容器開口部の開封栓を剥離して開口することができる効果がある。
【００３０】
また、本発明は、請求項７に記載のように、請求項６に記載の紙容器注出口装置において、容器蓋部に容器開口部に嵌合する開封栓を一体に設けてなる構成を有することにより、容器蓋部を開放すると、容器開口部に嵌合して該容器蓋部に一体に設けてある開封栓が確実に剥離し、また、容器蓋部を閉じるときには、再度、開封栓が容器開口部に嵌合することとなるから、開封栓を容器蓋部から分離することなく継続的に使用することができる効果がある。
【図面の簡単な説明】
【図１】本発明装置の一実施例による原理説明図。
【図２】その他の実施例の要部の平面図。
【図３】その要部の縦断正面図。
【図４】その要部の他の使用態様の縦断正面図。
【図５】従来装置の一実施例の縦断正面図。
【図６】従来装置の原理説明図。
【符号の説明】
１　　　紙容器
２　　　容器開口部
３　　　開口部上面外周
４　　　容器開口部断面
５　　　開口部下面外周
６　　　アルミニウムフィルム
１０　　開閉蓋体
１１　　開閉口枠部
１２　　ヒンジ連結部
１３　　密着外周縁部
１４　　密着内周縁部
１５　　開蓋用取っ手
１６　　内周縁部
１７　　開封栓
【図１】
2004083024.tif 000003
【図２】
2004083024.tif 000004
【図３】
2004083024.tif 000005
【図４】
2004083024.tif 000006
【図５】
2004083024.tif 000007
【図６】
2004083024.tif 000008